(57)【要約】【課題】列状に半導体レーザ素子を配列してなる半導体レーザアレイ光源からの各光束を結像レンズを用いて感光面上に結像せしめることにより、回転多面鏡等の機械的光走査手段を用いることなく被走査面上での光ドット形成（光走査）を行う。【解決手段】このレーザプリンタ装置は多数の半導体レーザ素子（発光素子）１ａを直線状に配列してなる半導体レーザアレイ光源１と、これら各発光素子１ａからの光束を各々感光面２上にしかも直線的に結像せしめる結像レンズ３とを備えている。  上記半導体レーザアレイ光源１は、７００個以上の微小な半導体レーザ素子１ａを直線上に配列してなるもので、各々の素子１ａからのレーザ光を互いに独立に変調し得るようになっている。【選択図】図１
2006150940.tif 000002
【特許請求の範囲】
【請求項１】
複数の発光素子を列状に配列してなる半導体レーザアレイ光源と、該半導体レーザアレイ光源からの各光束を被走査面上に結像させる結像レンズと、該半導体レーザアレイ光源の個々の発光素子を所定の信号に基づき独立に変調する手段と、該被走査面を該結像レンズに対し、該半導体レーザアレイ光源からの各光束により形成される該被走査面上のドット列方向と略直交する方向に相対的に移動させる手段を備えたレーザプリンタ装置において、該半導体レ−ザアレイ光源の発光素子が、該発光素子の配列方向と直交する方向に複数列配列されるように構成されてなることを特徴とするレーザプリンタ装置。
【請求項２】
複数の発光素子を列状に配列してなる半導体レーザアレイ光源と、該半導体レーザアレイ光源からの各光束を被走査面上に結像させる結像レンズと、該半導体レーザアレイ光源の個々の発光素子を所定の信号に基づき独立に変調する手段と、該被走査面を該結像レンズに対し、該半導体レーザアレイ光源からの各光束により形成される該被走査面上のドット列方向と略直交する方向に相対的に移動させる手段を備えたレーザプリンタ装置において、複数の該半導体レ−ザアレイ光源からの光束を、該被走査面上において、該半導体レーザアレイ光源からの各光束により形成されるドット列方向と略直交する方向に互いに所定の間隔で結像されるように導くことを特徴とするレーザプリンタ装置。
【請求項３】
複数の発光素子を列状に配列してなる半導体レーザアレイ光源と、該半導体レーザアレイ光源からの各光束を被走査面上に結像させる結像レンズと、該半導体レーザアレイ光源の個々の発光素子を所定の信号に基づき独立に変調する手段と、該被走査面を該結像レンズに対し、該半導体レーザアレイ光源からの各光束により形成される該被走査面上のドット列方向と略直交する方向に相対的に移動させる手段を備えたレーザプリンタ装置において、出力光波長が互いに異なる複数の該半導体レーザアレイ光源からの光束を、照射光の波長毎に互いに異なる発色をなす感光面上に導き、該感光面上にカラー画像が再生され得るように構成されてなることを特徴とするレーザプリンタ装置。
【請求項４】
複数の発光素子を列状に配列してなる半導体レーザアレイ光源と、該半導体レーザアレイ光源からの各光束を被走査面上に結像させる結像レンズと、該半導体レーザアレイ光源の個々の発光素子を所定の信号に基づき独立に変調する手段と、該被走査面を該結像レンズに対し、該半導体レーザアレイ光源からの各光束により形成される該被走査面上のドット列方向と略直交する方向に相対的に移動させる手段を備えたレーザプリンタ装置において、複数の該半導体レ−ザアレイ光源からの光束を、印字幅を増加するように前記被走査面上に導くよう構成されてなることを特徴とするレーザプリンタ装置。
【発明の詳細な説明】
【技術分野】
【０００１】
本発明は、複数の発光素子を列状に配列してなる、いわゆる半導体レーザアレイを光源とし、この光源からの光を被走査面上に導いて、この被走査面上に再生画像を形成するレーザプリンタ装置に関するものである。
【背景技術】
【０００２】
近年、レーザプリンタ装置が各種ＯＡ機器に使用されるようになってきており、その光走査手段としては周知の回転多面鏡（ポリゴンミラー）が一般に用いられている。
【発明の開示】
【発明が解決しようとする課題】
【０００３】
この回転多面鏡はガルバノメータミラーに比べて走査の高速性、あるいはシェーディングの良好性等の点で優れているものの、各ミラー面の面精度や面倒れ量のバラツキに伴い、走査線の微妙な曲がり、走査線ピッチのバラツキ、さらには走査線の長さのバラツキ等が問題となっている。
【０００４】
また、このような回転多面鏡を用いた走査装置では、各走査線の始点を一致させるために走査のタイミングをとるセンサが必要となる。
さらに、このような回転多面鏡を用いた走査装置では、その回転駆動部の回転動作に起因して振動や騒音が生じる。
【０００５】
このように、回転多面鏡を光走査手段とする場合には、上述した如き種々の問題が生じるため回転多面鏡を用いずにレーザ光を走査する手法の開発が望まれている。
また、このような手法の開発とともに、この手法を用いたときにレーザ光源からの光束を良好に被走査面上に導き得る、この手法に適した結像光学系を開発することも必要となる。
さらに、このような状況下においてプリント速度の高速化が求められている。
【０００６】
本発明はこのような事情に鑑みなされたもので、回転多面鏡を用いることなく被走査面上にレーザ光を走査することができ、かつ、光源からの光束を良好に被走査面上に導くことができ、しかもプリント速度の高速化を図ることができるレーザプリンタ装置を提供することを目的とするものである。
【課題を解決するための手段】
【０００７】
本発明の第１のレーザプリンタ装置は、複数の発光素子を列状に配列してなる半導体レーザアレイ光源と、該半導体レーザアレイ光源からの各光束を被走査面上に結像させる結像レンズと、該半導体レーザアレイ光源の個々の発光素子を所定の信号に基づき独立に変調する手段と、該被走査面を該結像レンズに対し、該半導体レーザアレイ光源からの各光束により形成される該被走査面上のドット列方向と互いに直交する方向に相対的に移動させる手段を備えたレーザプリンタ装置において、該半導体レ−ザアレイ光源の発光素子が、該発光素子の配列方向に直交する方向に複数列配列されるように構成されてなることを特徴とするものである。
【０００８】
また、本発明の第２のレーザプリンタ装置は、複数の発光素子を列状に配列してなる半導体レーザアレイ光源と、該半導体レーザアレイ光源からの各光束を被走査面上に結像させる結像レンズと、該半導体レーザアレイ光源の個々の発光素子を所定の信号に基づき独立に変調する手段と、該被走査面を該結像レンズに対し、該半導体レーザアレイ光源からの各光束により形成される該被走査面上のドット列方向と互いに直交する方向に相対的に移動させる手段を備えたレーザプリンタ装置において、複数の該半導体レ−ザアレイ光源からの光束を、該被走査面上において、該半導体レーザアレイ光源からの各光束により形成されるドット列方向と互いに直交する方向に互いに所定の間隔で結像されるように導くことを特徴とするものである。
【０００９】
また、本発明の第３のレーザプリンタ装置は、複数の発光素子を列状に配列してなる半導体レーザアレイ光源と、該半導体レーザアレイ光源からの各光束を被走査面上に結像させる結像レンズと、該半導体レーザアレイ光源の個々の発光素子を所定の信号に基づき独立に変調する手段と、該被走査面を該結像レンズに対し、該半導体レーザアレイ光源からの各光束により形成される該被走査面上のドット列方向と互いに直交する方向に相対的に移動させる手段を備えたレーザプリンタ装置において、出力光波長が互いに異なる複数の該半導体レーザアレイ光源からの光束を、照射光の波長毎に互いに異なる発色をなす感光面上に導き、該感光面上にカラー画像が再生され得るように構成されてなることを特徴とするものである。
【００１０】
さらに、本発明の第４のレーザプリンタ装置は、複数の発光素子を列状に配列してなる半導体レーザアレイ光源と、該半導体レーザアレイ光源からの各光束を被走査面上に結像させる結像レンズと、該半導体レーザアレイ光源の個々の発光素子を所定の信号に基づき独立に変調する手段と、該被走査面を該結像レンズに対し、該半導体レーザアレイ光源からの各光束により形成される該被走査面上のドット列方向と略直交する方向に相対的に移動させる手段を備えたレーザプリンタ装置において、複数の該半導体レ−ザアレイ光源からの光束を、印字幅を増加するように前記被走査面上に導くよう構成されてなることを特徴とするものである。
【発明の効果】
【００１１】
以上に説明したように、本発明のレーザプリンタ装置によれば、回転多面鏡等の機械的光走査手段により光走査を行っていないので、ミラーの面倒れに伴う種々の問題、例えば走査線間隔のバラツキの問題は発生しない。もちろん、従来の回転多面鏡を用いた場合に必要であった、各走査線開始のタイミングを得るためのセンサは不要である。
また、回転多面鏡の如く高速で可動する部分が存在しないので、装置全体の振動や騒音をより低いレベルに抑えることが可能であり、装置の長寿命化を図ることが可能である。
さらに、直線上に配された各半導体レーザ素子を同時に発光せしめることが可能であり、被走査面上での一ライン全体のプリントを一時に行うことができるので、プリント速度の高速化を図ることができる。
【００１２】
また、該半導体レーザアレイ光源の発光素子が、該発光素子の配列方向に直交する方向に複数列配列されるように構成することにより、同時に複数列の信号を印字することができ、被走査面上の副走査の高速化を図ることができる。
また、複数の該半導体レ−ザアレイ光源からの光束を、該被走査面（感光面）上において、該半導体レーザアレイ光源からの各光束により形成されるドット列方向と互いに直交する方向に互いに所定の間隔で結像されるように導くように構成することにより、被走査面（感光面）上の副走査の高速化を図ることができる。
【００１３】
また、出力光波長が互いに異なる複数の該半導体レーザアレイ光源からの光束を、照射光の波長毎に互いに異なる発色をなす被走査面（感光面）上に導き、該被走査面（感光面）上にカラー画像が再生され得るように構成することにより、カラー画像を高速に形成することができる。
また、複数の半導体レ−ザアレイ光源からの光束を、印字幅を増加するように前記被走査面（感光面）上に導くよう構成することで、画像を高速に形成することができる。
【発明を実施するための最良の形態】
【００１４】
以下、図面を用いて、本発明の実施形態について説明する。
図１は本発明の実施形態に係るレーザプリンタ装置を示す概念図である。このレーザプリンタ装置は多数の半導体レーザ素子（発光素子）１ａを直線状に配列してなる半導体レーザアレイ光源１と、これら各発光素子１ａからの光束を各々感光面２上に、しかも直線的に結像せしめる結像レンズ３とを備えている。
【００１５】
上記半導体レーザアレイ光源１は、７００個以上の微小な半導体レーザ素子１ａを直線上に配列してなるもので、各々の素子１ａからのレーザ光を独立して変調し得るようになっている。
【００１６】
光源１が、半導体レーザ素子１ａを７００個以上配列しているのは、最低Ａ６号（葉書大サイズ）用紙の短辺の一走査線領域の全体を一時に照射することを考慮したものである。すなわち、Ａ６号用紙の短辺は１０５ｍｍの長さとされているので、１インチ（２５．４ｍｍ）当たりを２００ドットで印字すれば、配列すべき半導体レーザ素子１ａの個数は２００×１０５／２５．４≒８２７（個）となる。ただし、この短辺方向の両端部分に係る数ｍｍの範囲については通常は印字が不要となるので、結局、本実施形態の如く、７００個以上の半導体レーザ素子１ａを直線的に配列すればＡ６号用紙の短辺方向の一走査線に相当する部分の印字を一時に行うことができる。
【００１７】
このように直線状に配列された多数の半導体レーザ素子１ａからの各光束は結像レンズ３によって感光面２上の所定の直線上の所定位置に結像され、結局、半導体レーザアレイ光源１における各素子１ａの１回の同時発光により、図１に示す如き直線状のドット列（一走査線）が感光面上に形成される。
また、光源１として半導体レーザを用いているのは、半導体レーザは光量や変調の速度追従性の点で格段に有利であり、光走査の高速化が図れるからである。
【００１８】
光源として、Ｈｅ−Ｎｅレーザ等のガスレーザを用い、分割された多数の光束を所定の変調器で同時に変調するトータル・インターナル・レフレクションシステムも考えられているが、この場合には光学系が極めて複雑となり、また、一本のレーザ管からの光束を例えば数千の光束に分割する必要上、光走査の高速化を図る上で必要な光量を確保するためには高出力のレーザ管が必要となってしまう。また、この系では、ガスレーザ管のサイズが大きく、レーザ管から光変調器までの距離も長くなってしまい、装置のコンパクト化が困難となりコストも割高となってしまう。
【００１９】
本実施形態のものでは、半導体レーザ素子の各々から独立に変調された光ビームが出力されるようになっており、上述した従来技術の如き問題は生じない。
また、本実施形態のものでは、感光面２を矢印Ａ方向に所定速度で副走査しながら上記半導体レーザアレイ光源１からの発光を所定のタイミングで行うことにより感光面２上に多数の走査線に相当するドット列を形成することができ、これにより１枚の再生画像を感光面２上に形成することができる。
【００２０】
また、上記結像レンズ３は、後述する実施例の如く複数枚のレンズからなる組合せレンズを鏡胴によってカバーしたものであり、内部の所定位置に絞りが配されている。
【００２１】
また、この結像レンズ３は、図１、および本実施形態の平面図である図２に示す如く、半導体レーザアレイ光源１側がテレセントリックとされている。すなわち、結像レンズ３の物体空間において各半導体レーザ素子１ａからの主光線は光軸に平行となるようにして進行する。
これにより、指向性の強い半導体レーザ光源１の光量を有効に利用することが可能となる。
【００２２】
また、上記結像レンズ３は、半導体レーザアレイ光源１の点ａ、点ｃ、点ｅから出力された光束を各々感光面２上の点ａ′、点ｃ′、点ｅ′に収束せしめる。すなわち、半導体レーザアレイ光源１の各点の並びと、それらの各点に対応する感光面２上の各点の並びは左右逆の関係となる。
【００２３】
図３は、本発明の他の実施形態に係るレーザプリンタ装置の光学系を示す概略図である。この実施形態装置の如く、半導体レーザアレイ光源１１の各半導体レーザ素子１１ａを、結像レンズ１３に向かって凹形状をなす所定の円弧状に配列することも可能である。このように半導体レーザ素子１１ａを配列することにより、指向性の強い半導体レーザアレイ光源１１からの各光束を、前述の実施形態の如きテレセントリックな系とせずとも有効に結像レンズの瞳に導くことが可能である。
【００２４】
なお、半導体レーザアレイ光源の各半導体レーザ素子を、結像レンズに向かって凹形状をなす所定の円弧状に配列しなくても、配列の両端部に近いほど発光方向の結像レンズの光軸とのなす角が大きくなるようにすることで同様の効果が得られる。
【００２５】
図４は、図１に示すような半導体レーザアレイ光源１の如き、半導体レーザ素子１ａを直線上に配列した光源２１ａ、２１ｂ、２１ｃを複数個用い、これらの光源２１ａ、２１ｂ、２１ｃからの光束をハーフミラー又は特定の波長の光を反射あるいは透過させるダイクロイックミラー２４ａ、２４ｂを用いて組み合わせるようにした実施形態装置を示すもの（光源を側方からみたもの）である。
【００２６】
この場合において、各光源２１ａ、２１ｂ、２１ｃの発光波長を感材の３原色発色に対応させるようにし、感光面２２の所定の点に、３つの光源２１ａ、２１ｂ、２１ｃの、対応する３つの半導体レーザ素子からの光束が互いに略重なり合って収束されるように構成し、一方、この場合における感光面２２は、各波長の色光が照射されると、それに応じた色調が表れるような感材を塗布しており、したがって、３つの互いに異なる波長の光を出力する半導体レーザアレイ光源２１ａ、２１ｂ、２１ｃからの光照射により感光面２２上に所望のカラー画像が形成される。
【００２７】
また、図４の如き構成において、各半導体レーザアレイ光源２１ａ、２１ｂ、２１ｃからの光束が感光面２２上で走査線の延びる方向と直交する方向に所定の微小間隔ずつずれて収束されるようにすれば、同時に３走査線分の信号をプリントすることができ、感光面２２の副走査（矢印Ｂ方向）の高速化を図ることができる。
【００２８】
なお、複数個の半導体レーザアレイ光源２１ａ、２１ｂ、２１ｃを、半導体レーザ素子１ａの配列方向に互いにつなげて一ラインあたりの発光点の数を増加させる場合にも、図４に示す如きハーフミラー２４ａ、２４ｂを用いて行うことができる。
また、上述した各実施形態では副走査を行うために感光面を矢印Ａ方向もしくは矢印Ｂ方向に移動させているが、例えば、図５に示す如く、ミラーの移動により副走査を行うこともできる。なお、本図は光源３１の側方からみた図とされている。
【００２９】
すなわち、半導体レーザアレイ光源３１からの光束を結像レンズ３３によって収束するとともに、ミラー３４ｂ、３５ｂ、３６ｂにより順次反射して感光面３２上に結像せしめる。そして、結像レンズ３３から感光面３２の収束位置までの光軸上の距離を一定に保つようにしつつ、ミラー３４ｂ、３５ｂを一体的にＣ方向へ、かつ、ミラー３６ｂを矢印Ｄ方向へ各々移動せしめ、感光面３２上での光束の収束位置を矢印Ｅ方向へ移動せしめる。
【００３０】
図５においては、副走査の初期時における各ミラー３４ｂ、３５ｂ、３６ｂの位置３４ａ、３５ａ、３６ａおよび光軸の位置が破線で示されている。
このようなミラー３４ｂ、３５ｂ、３６ｂの移動に基づく光ビームの副走査についての操作は、一般に、複写機の読取操作において使用されている技術と略同様である。
【００３１】
なお、本発明のレーザプリンタ装置としては上記実施形態のものに限られるものではなく、種々の態様の変更、あるいは機能の付加が可能である。
例えば、感光面上で、中央部分よりも周辺部分の光量の利用効率が低い場合には、該周辺部分に導かれる半導体レーザ光源の発光素子の出力を該中央部分に導かれる半導体レーザ光源の発光素子の出力に対して大とすることで感光面上の光量の均一化を図ることが可能である。
【００３２】
また、半導体レーザにおいては、その方向によって光束の拡がり角に差異が生じることも多く、そのような場合には、結像レンズの形状を光軸に対して回転対称な形状とすると感光面上のビームスポット形状が扁平となってしまうため、結像レンズ内に配された絞りの開口巾をアレイの配列方向とその直交する方向で互いに異ならせることにより、さらには、結像レンズのパワーをアレイの配列方向とその直交する方向で互いに異ならせて、これら両方向での、光源と感光面間の結像倍率を互いに異ならせて、感光面上のビームスポット形状を所望の形状に調整することが望ましい。
【００３３】
また、上記結像レンズの絞りの寸法は、上記感光面上のビームスポットの形状を容易に変更し得るように、半導体レーザアレイ光源の発光素子配列方向とその直交する方向とで独立に変更可能としておくことが望ましい。
さらに、半導体レーザアレイ光源の発光素子の数としては上記実施形態のものに限られず、例えば１行のみの印字を行い得る程度とすることも可能である。この場合において、１フォントを形成するドットの数は例えば１６程度であるから、半導体レーザアレイの素子をこのドットの数にあわせて１６程度とすることも可能である。
【００３４】
さらに、用途に応じてその配列する素子の数を適宜変更することも可能である。
また、上記実施形態のものにおいては、被走査面として感光面を用いているが、この面上に所定のプリントができれば、もちろん感光面に限られるものではない。
【実施例】
【００３５】
以下、本発明の実施例について具体的数値をあげて説明する。
本実施例の光学系は図６に示す如き構成をなし、Ａ４判サイズの短辺（２１０ｍｍ）を１インチ（２５．４ｍｍ）当たり２００ドットの印字密度で印字する際に用いられる系である。また、半導体レーザアレイ光源５１は、発光波長は６７０ｎｍで素子ピッチは２８μｍとされている。したがって、配列される素子の数は２００×２１０／２５．４＝１６５４個であり、アレイ全長は０．０２８×１６５４＝４６．３１ｍｍとなっている。
【００３６】
なお、この光学系では半導体レーザアレイ光源５１と結像レンズ５３の間に、厚さ０．７ｍｍのカバーガラス５４が配設されている。
この光学系は、第１面（ｒ1）〜第１０面（ｒ10）までのレンズ面を構成する各レンズ全体についての後側焦点位置付近に絞りを配置しており、光源側でテレセントリックな系となっている。
【００３７】
この実施例における各レンズ面の曲率半径ｒ（ｍｍ）、各レンズの中心厚および各レンズ間の空気間隔ｄ（ｍｍ）および各レンズの、波長６７０ｎｍの光線に対する屈折率Ｎを下記表１に示す。
ただし、この表１において、各記号ｒ、ｄ、Ｎに対応させた数字は半導体レーザアレイ光源５１側から順次増加するようになっている。
【００３８】
なお、表１の下段に、入射光の波長λ、この実施例の光学系における、光学系全体の焦点距離ｆ、結像倍率βおよびレンズ第１面から第１０面までのレンズ面を構成する各レンズ全体のバックフォーカスＢｆの値を示す。
【００３９】
【表１】
2006150940.tif 000003
【００４０】
なお、上記実施例における各収差図（球面収差、非点収差、歪曲収差の収差図）を図７に示す。なお、この収差図においてｙ′は高さを示す。
また、球面収差図においては波長６７０ｎｍの光線に対する収差が示されている。さらに、非点収差図には、サジタル像面およびメリディオナル像面に対する収差が示されている。
この図７から明らかなように、上述した実施例によれば、前述した各収差を全て良好なものとすることができる。
【００４１】
なお、本発明を適用することによりレーザプリンタ装置以外の光学装置をも得ることができる。例えば、被走査面上に画像を置き、半導体レーザアレイ光源を順次もしくは同時に点滅させて照射し、該半導体レーザアレイ光源からの各光束により形成される該被走査面上のドット列方向と略直交する方向に画像を移動させ、その画像の反射光を受光する手段を設けることにより画像情報を取り込む画像読取装置とすることもできる。
【００４２】
以下、上述した各実施形態を項別に整理して記載する。
＜実施形態１＞  複数の発光素子を列状に配列してなる半導体レーザアレイ光源と、該半導体レーザアレイ光源からの各光束を被走査面上に結像させる結像レンズと、該半導体レーザアレイ光源の個々の発光素子を所定の信号に基づき独立に変調する手段と、該被走査面を該結像レンズに対し、該半導体レーザアレイ光源からの各光束により形成される該被走査面上のドット列方向と略直交する方向に相対的に移動させる手段を備えたことを特徴とするレーザプリンタ装置。
【００４３】
＜実施形態２＞  前記半導体レーザアレイ光源の発光素子の数が７００以上であることを特徴とする実施形態１記載のレーザプリンタ装置。
【００４４】
＜実施形態３＞  前記結像レンズが、前記半導体レーザアレイ光源側で、テレセントリックであることを特徴とする実施形態１もしくは２記載のレーザプリンタ装置。
【００４５】
＜実施形態４＞  前記結像レンズの絞りが、前記半導体レーザアレイ光源の発光素子の配列方向に対応する方向の幅と、該対応する方向に直交する方向の幅とで互いに異なることを特徴とする実施形態１〜３のうちいずれか１記載のレーザプリンタ装置。
【００４６】
＜実施形態５＞  前記結像レンズの絞りが、前記半導体レーザアレイ光源の発光素子の配列方向に対応する方向の幅と、該対応する方向に直交する方向の幅の寸法を独立に調整し得る構成とされてなることを特徴とする実施形態１〜４のうちいずれか１記載のレーザプリンタ装置。
【００４７】
＜実施形態６＞  前記半導体レーザアレイ光源の発光素子が、該対応する方向に直交する方向に複数列配列されるように構成されてなることを特徴とする実施形態１〜５のうちいずれか１記載のレーザプリンタ装置。
【００４８】
＜実施形態７＞  前記半導体レーザアレイ光源において、中央部よりも両端部に近い部分の発光素子の出力を大きくしたことを特徴とする実施形態１〜６のうちいずれか１記載のレーザプリンタ装置。
【００４９】
＜実施形態８＞  前記結像レンズが、前記半導体レーザアレイ光源の発光素子の配列方向に対応する方向と、該対応する方向に直交する方向とのパワーが異なるように構成されてなることを特徴とする実施形態１〜７のうちいずれか１記載のレーザプリンタ装置。
【００５０】
＜実施形態９＞  前記半導体レーザアレイ光源の発光素子が、前記結像レンズ側に向かって凹形状をなす曲線状に配列されてなることを特徴とする実施形態１〜８のうちいずれか１記載のレーザプリンタ装置。
【００５１】
＜実施形態１０＞  複数の前記半導体レーザアレイ光源からの光束を、印字幅を増加するように前記被走査面上に導くよう構成されてなることを特徴とする実施形態１〜９のうちいずれか１記載のレーザプリンタ装置。
【００５２】
＜実施形態１１＞  複数の前記半導体レーザアレイ光源からの光束を、前記被走査面上において、該半導体レーザアレイ光源からの各光束により形成されるドット列方向と略直交する方向に互いに所定の間隔で結像されるように導くことを特徴とする実施形態１〜１０のうちいずれか１記載のレーザプリンタ装置。
【００５３】
＜実施形態１２＞  出力光波長が互いに異なる複数の前記半導体レーザアレイ光源からの光束を、照射光の波長毎に互いに異なる発色をなす感光面上に導き、該感光面上にカラー画像が再生され得るように構成されてなることを特徴とする実施形態１〜１１のうちいずれか１記載のレーザプリンタ装置。
【図面の簡単な説明】
【００５４】
【図１】本発明の実施形態に係るレーザプリンタ装置を示す斜視図
【図２】本発明の実施形態に係るレーザプリンタ装置を示す平面図
【図３】本発明の別の実施形態に係るレーザプリンタ装置を示す平面図
【図４】本発明のさらに別の実施形態に係るレーザプリンタ装置を示す平面図
【図５】本発明の実施形態に係るレーザプリンタ装置の副走査の一例を示す概略図
【図６】本発明の一実施例に係るレーザプリンタ装置の光学系を示すレンズ構成図
【図７】図６に示す光学系の各収差図
【符号の説明】
【００５５】
１、１１、３１、５１      半導体レーザアレイ光源
１ａ、１１ａ、２１ａ、２１ｂ、２１ｃ    半導体レーザ素子
２、２２、３２、５２      感光面
３、２３、３３、５３      結像レンズ
２４ａ、２４ｂ、３４ｂ、３５ｂ、３６ｂ  ハーフミラー
５４                      カバーガラス
ｒ1〜ｒ15                  レンズ面
ｄ1〜ｄ14                  レンズの厚み（面間隔）
Ｘ                        光軸
【図１】
2006150940.tif 000004
【図２】
2006150940.tif 000005
【図３】
2006150940.tif 000006
【図４】
2006150940.tif 000007
【図５】
2006150940.tif 000008
【図６】
2006150940.tif 000009
【図７】
2006150940.tif 000010